(57)【要約】【課題】連続紙への転写条件が変化した場合でも、転写時の色安定性の低下を抑制することが可能な画像形成装置及びプログラムを提供する。【解決手段】ＣＰＵ１００Ａにより、連続紙Ｐのプレフィード動作において、測定手段により測定された連続紙Ｐが転写ロール対に挟持されていない状態の転写ロール間の抵抗値である非通紙転写抵抗値Ｒｏｓ（Ｓ１００）と、挟持されている状態の転写ロール間の抵抗値である初期通紙転写抵抗値Ｒｔｓ（Ｓ１０６）との差分から連続紙Ｐの初期連続紙抵抗値Ｒｐｓを算出し（Ｓ１０８）、該Ｒｐｓに基づいて初期転写バイアスＶｔｓを設定し（Ｓ１１０）、連続紙Ｐへの画像形成動作において、測定手段により測定された連続紙Ｐが挟持された状態の転写ロール間の抵抗値である通紙転写抵抗値Ｒｔ（Ｓ１１６）に基づいて、設定手段により設定された初期転写バイアスＶｔｓを補正する（Ｓ１２８）。【選択図】図６
2015055672.tif 000002
【特許請求の範囲】
【請求項１】
画像情報に基づいて転写部材に画像を形成する形成手段と、
連続紙及び前記転写部材を挟持する回転体対を有し、該回転体対の回転体間に設定された転写バイアスを印加することにより前記転写部材に形成された画像を前記連続紙に転写する転写手段と、
前記回転体間の抵抗値を測定する測定手段と、
前記連続紙のプレフィード動作において、前記測定手段により測定された、前記連続紙が前記回転体対に挟持されていない状態の前記回転体間の抵抗値である第１の抵抗値と、
挟持されている状態の前記回転体間の抵抗値である第２の抵抗値との差分に基づいて得られる初期抵抗値に基づいて前記転写バイアスを設定する設定手段と、
前記連続紙への画像形成動作において、前記測定手段により測定された、前記連続紙が挟持された状態の前記回転体間の抵抗値である第３の抵抗値に基づいて、前記設定手段により設定された転写バイアスを補正する制御を行う制御手段と、
を含む画像形成装置。
【請求項２】
前記設定手段は、予め定められた前記初期抵抗値と前記転写バイアスとの対応関係を示す情報に基づいて前記転写バイアスを設定し、
前記制御手段は、予め定められた、前記第３の抵抗値と前記第２の抵抗値との差分に基づいて得られる前記初期抵抗値からの変動量と前記転写バイアスとの対応関係を示す情報に基づいて、前記転写バイアスを補正する制御を行う
請求項１に記載の画像形成装置。
【請求項３】
前記制御手段は、前記転写バイアスを補正する制御を、予め定められた時間間隔で連続的に行う
請求項１又は請求項２に記載の画像形成装置。
【請求項４】
前記制御手段は、前記測定手段により測定された複数の第３の抵抗値の移動平均に基づいて、前記転写バイアスを補正する制御を行う
請求項３に記載の画像形成装置。
【請求項５】
前記制御手段は、前記変動量が予め定められた閾値を越えた場合に、前記転写バイアスを補正する制御を行う
請求項２に記載の画像形成装置。
【請求項６】
前記形成手段は、トナー像を保持する像保持体を有し、
前記転写部材は、前記像保持体に形成されたトナー像を転写する二次転写部材である
請求項１ないし請求項５のいずれか１項に記載の画像形成装置。
【請求項７】
前記連続紙は円筒状に巻かれた状態で前記転写手段による転写位置に連続的に供給され、
前記制御手段は、前記第３の抵抗値及び前記転写手段による転写位置への供給と共に変化する前記円筒状に巻かれた前記連続紙の径に基づいて、前記転写バイアスを補正する制御を行う
請求項１ないし請求項６のいずれか１項に記載の画像形成装置。
【請求項８】
画像情報に基づいて転写部材に画像を形成する形成手段と、
連続紙及び前記転写部材を挟持する回転体対を有し、該回転体対の回転体間に設定された転写バイアスを印加することにより前記転写部材に形成された画像を前記連続紙に転写する転写手段と、
前記回転体間の抵抗値を測定する測定手段と、
を含む画像形成装置を制御するためのプログラムであって、
コンピュータを、
前記連続紙のプレフィード動作において、前記測定手段により測定された、前記連続紙が前記回転体対に挟持されていない状態の前記回転体間の抵抗値である第１の抵抗値と、
挟持されている状態の前記回転体間の抵抗値である第２の抵抗値との差分に基づいて得られる初期抵抗値に基づいて前記転写バイアスを設定する設定手段と、
前記連続紙への画像形成動作において、前記測定手段により測定された、前記連続紙が挟持された状態の前記回転体間の抵抗値である第３の抵抗値に基づいて、前記設定手段により設定された転写バイアスを補正する制御を行う制御手段と、
として機能させるためのプログラム。
【発明の詳細な説明】
【技術分野】
【０００１】
本発明は、画像形成装置及びプログラムに関する。
【背景技術】
【０００２】
特許文献１には、像担持体上に形成された静電潜像を現像して得られたトナー画像を記録材に形成して転写・定着する画像形成手段を備えた画像形成装置において、少なくとも記録材を１枚テストプリントして記録材の特性を測定する記録材特性測定手段と、前記記録材特性測定手段により記録材の特性を測定させ、測定させた該記録材の特性に基づいて、記録材に画像を形成する画像形成時の前記画像形成手段の画像形成条件を制御する制御手段と、を備えることを特徴とする画像形成装置が開示されている。
【先行技術文献】
【特許文献】
【０００３】
【特許文献１】特開２００２−０８２４９６号公報
【発明の概要】
【発明が解決しようとする課題】
【０００４】
本発明は、連続紙への転写条件が変化した場合でも、転写時の色安定性の低下を抑制することが可能な画像形成装置及びプログラムを提供することを目的とする。
【課題を解決するための手段】
【０００５】
上記目的を達成するために、請求項１に記載の画像形成装置は、画像情報に基づいて転写部材に画像を形成する形成手段と、連続紙及び前記転写部材を挟持する回転体対を有し、該回転体対の回転体間に設定された転写バイアスを印加することにより前記転写部材に形成された画像を前記連続紙に転写する転写手段と、前記回転体間の抵抗値を測定する測定手段と、前記連続紙のプレフィード動作において、前記測定手段により測定された、前記連続紙が前記回転体対に挟持されていない状態の前記回転体間の抵抗値である第１の抵抗値と、挟持されている状態の前記回転体間の抵抗値である第２の抵抗値との差分に基づいて得られる初期抵抗値に基づいて前記転写バイアスを設定する設定手段と、前記連続紙への画像形成動作において、前記測定手段により測定された、前記連続紙が挟持された状態の前記回転体間の抵抗値である第３の抵抗値に基づいて、前記設定手段により設定された転写バイアスを補正する制御を行う制御手段と、を含むものである。
【０００６】
また、請求項２に記載の発明は、請求項１に記載の発明において、前記設定手段は、予め定められた前記初期抵抗値と前記転写バイアスとの対応関係を示す情報に基づいて前記転写バイアスを設定し、前記制御手段は、予め定められた、前記第３の抵抗値と前記第２の抵抗値との差分に基づいて得られる前記初期抵抗値からの変動量と前記転写バイアスとの対応関係を示す情報に基づいて、前記転写バイアスを補正する制御を行うものである。
【０００７】
また、請求項３に記載の発明は、請求項１又は請求項２に記載の発明において、前記制御手段は、前記転写バイアスを補正する制御を、予め定められた時間間隔で連続的に行うものである。
【０００８】
また、請求項４に記載の発明は、請求項３に記載の発明において、前記制御手段は、前記測定手段により測定された複数の第３の抵抗値の移動平均に基づいて、前記転写バイアスを補正する制御を行うものである。
【０００９】
また、請求項５に記載の発明は、請求項２に記載の発明において、前記制御手段は、前記変動量が予め定められた閾値を越えた場合に、前記転写バイアスを補正する制御を行うものである。
【００１０】
また、請求項６に記載の発明は、請求項１ないし請求項５のいずれか１項に記載の発明において、前記形成手段は、トナー像を保持する像保持体を有し、前記転写部材は、前記像保持体に形成されたトナー像を転写する二次転写部材であるものである。
【００１１】
また、請求項７に記載の発明は、請求項１ないし請求項６のいずれか１項に記載の発明において、前記連続紙は円筒状に巻かれた状態で前記転写手段による転写位置に連続的に供給され、前記制御手段は、前記第３の抵抗値及び前記転写手段による転写位置への供給と共に変化する前記円筒状に巻かれた前記連続紙の径に基づいて、前記転写バイアスを補正する制御を行うものである。
【００１２】
一方、上記目的を達成するために、請求項８に記載のプログラムは、画像情報に基づいて転写部材に画像を形成する形成手段と、連続紙及び前記転写部材を挟持する回転体対を有し、該回転体対の回転体間に設定された転写バイアスを印加することにより前記転写部材に形成された画像を前記連続紙に転写する転写手段と、前記回転体間の抵抗値を測定する測定手段と、を含む画像形成装置を制御するためのプログラムであって、コンピュータを、前記連続紙のプレフィード動作において、前記測定手段により測定された、前記連続紙が前記回転体対に挟持されていない状態の前記回転体間の抵抗値である第１の抵抗値と、挟持されている状態の前記回転体間の抵抗値である第２の抵抗値との差分に基づいて得られる初期抵抗値に基づいて前記転写バイアスを設定する設定手段と、前記連続紙への画像形成動作において、前記測定手段により測定された、前記連続紙が挟持された状態の前記回転体間の抵抗値である第３の抵抗値に基づいて、前記設定手段により設定された転写バイアスを補正する制御を行う制御手段と、として機能させるためのものである。
【発明の効果】
【００１３】
請求項１及び請求項８に記載の発明によれば、本発明を適用しない場合に比較して、連続紙への転写条件が変化した場合でも、転写時の色安定性の低下が抑制される、という効果が得られる。
【００１４】
請求項２に記載の発明によれば、連続紙の抵抗値の初期抵抗値からの変動量を用いずに転写バイアスを補正する場合に比較して、より高精度で転写バイアスが補正される、という効果が得られる。
【００１５】
請求項３に記載の発明によれば、連続的に転写バイアスを補正しない場合に比較して、
よりきめ細かく転写バイアスが補正される、という効果が得られる。
【００１６】
請求項４に記載の発明によれば、本発明を適用しない場合に比較して、より誤差の少ない第３の抵抗値が測定される、という効果が得られる。
【００１７】
請求項５に記載の発明によれば、連続紙の抵抗値の変動量に対する閾値を用いない場合に比較して、不要な転写バイアスの補正の実施が回避される、という効果が得られる。
【００１８】
請求項６に記載の発明によれば、二次転写を行う画像形成装置においても本発明の効果が享受される、という効果が得られる。
【００１９】
請求項７に記載の発明によれば、連続紙の径を考慮しない場合に比較して、より高精度で転写バイアスが補正される、という効果が得られる。
【図面の簡単な説明】
【００２０】
【図１】実施の形態に係る画像形成装置の構成の一例を示す概略側面図である。
【図２】実施の形態に係る連続紙の構成の一例を示す概略断面図である。
【図３】実施の形態に係る作像装置の要部の構成の一例を示す概略側面図である。
【図４】実施の形態に係る二次転写装置の構成の一例を示す模式図である。
【図５】実施の形態に係る画像形成装置の電気系の要部構成の一例を示すブロック図である。
【図６】第１の実施の形態に係る画像形成処理プログラムの処理の流れを示すフローチャートである。
【図７】実施の形態に係る転写バイアステーブルの一例を示す模式図である。
【図８】第２の実施の形態に係る画像形成処理プログラムの処理の流れを示すフローチャートである。
【図９】第３の実施の形態に係る画像形成処理プログラムの処理の流れを示すフローチャートである。
【発明を実施するための形態】
【００２１】
［第１の実施の形態］
以下、本発明の実施の形態について図面を参照しつつ説明する。図１は、本実施の形態に係る画像形成装置１０の概略構成を示す図である。
【００２２】
＜画像形成装置の全体構成＞
本実施の形態に係る画像形成装置１０は、図１に示すように、記録媒体としての連続した長尺の連続紙Ｐを給紙する給紙装置１２、給紙装置１２から給紙された連続紙Ｐに画像を形成する画像形成部１４、画像形成部１４によって画像が形成された連続紙Ｐを収容する収容装置１６、及び操作表示部１９と、給紙装置１２、画像形成部１４、収容装置１６、及び操作表示部１９の各々を制御する制御装置１８とを備えている。
【００２３】
連続紙Ｐとしては、図２に示すように、例えば、ＰＰ（ポリプロピレン）等の合成樹脂やグラシン紙や上質紙等の紙からなり、一般的には台紙としての役割をもつと共に使用時には廃棄される剥離紙５１上に、中間層として糊等の粘着材料を含む粘着層５２を介して最上層に設けられる表面基材５３が粘着された所謂ラベル紙が用いられる。この表面基材５３に図柄や文字が印刷（画像形成）されて使用される。このラベル紙５は、その用途にもよるが、例えば、表面基材５３側が画像形成面である表面（外周面）に位置するようにロール状に巻かれたロール紙の状態で用いられる。
【００２４】
給紙装置１２には、ロール状に巻き取られた連続紙Ｐを含む給紙ロール２０が設けられており、給紙ロール２０が図示しない駆動手段によって回転駆動されるのに伴って、搬送ロール対８０を介し連続紙Ｐが画像形成部１４へ供給される。図１中の矢印Ｂで示される方向は、連続紙Ｐの供給方向を示している。さらに、給紙装置１２の内部には、給紙ロール２０の径を検知する後述の給紙ロールセンサ８４が設けられている。
【００２５】
また、収容装置１６には、連続紙Ｐに張力を付与する張力付与ロール８２を介して、画像形成された連続紙Ｐがロール状に巻き取られる収容ロール２２が設けられている。
【００２６】
画像形成部１４は、画像情報に基づいて、イエロー色（Ｙ）、マゼンタ色（Ｍ）、シアン色（Ｃ）、及びブラック色（Ｋ）の４色のトナーを用いた画像を連続紙Ｐに形成する。
この画像形成部１４には、現像剤を構成するトナーで現像されたトナー像を形成する作像装置２４と、作像装置２４で形成されるトナー像をそれぞれ保持して最終的に連続紙Ｐに二次転写する二次転写位置まで搬送する中間転写装置２６と、中間転写装置２６の中間転写ベルト４４で搬送されたトナー像を連続紙Ｐに二次転写する二次転写装置４６と、二次転写装置４６で二次転写された連続紙Ｐ上のトナー像を定着させる定着装置２８等を備えている。
【００２７】
作像装置２４は、Ｙ、Ｍ、Ｃ、Ｋの各色のトナー像をそれぞれ専用に形成する４つの作像装置２４Ｙ、２４Ｍ、２４Ｃ、２４Ｋを含んで構成されている。
【００２８】
各作像装置２４は、図３に示すように、回転する像保持体の一例としての感光体ドラム３０を各々備えている。各感光体ドラム３０の周囲には、後述する帯電装置３２、露光装置３４、現像装置３６、一次転写装置３８、及び清掃装置４０等が設けられている。
【００２９】
感光体ドラム３０は、接地処理された円筒状又は円柱状の基材の外周面(表面）に感光材料を含む光導電性層（感光層）（図示省略）を有する像保持面が形成されている。また、感光体ドラム３０は、図示しない駆動装置によって動力が伝達されて回転するように支持されている。
【００３０】
帯電装置３２は、感光体ドラム３０に接触した状態で配置される接触型の帯電ロール３２Ａを含んで構成され、感光体ドラム３０の像形成がなされる表面を帯電させる。帯電装置３２には帯電用電圧が供給される。帯電用電圧としては、現像装置３６が反転現像を行うものである場合、その現像装置３６から供給されるトナーの帯電極性と同じ極性の電圧が印加される。本実施の形態では、トナーの帯電極性は負極性とされ、感光体ドラム３０の表面は負極性に帯電されるものとする。
【００３１】
露光装置３４は、帯電された感光体ドラム３０の表面に画像情報に基づく光を照射して感光体ドラム３０の表面に静電潜像を形成する。
【００３２】
現像装置３６は、露光装置３４によって感光体ドラム３０の表面に形成された静電潜像を各々対応する色の現像剤のトナーで現像してトナー像を生成する。現像装置３６は、図示は省略するが、現像剤を感光体ドラム３０と向き合う現像領域まで搬送する現像ロールと、現像剤を攪拌しながら現像ロールに供給するように搬送するスクリューオーガー等の攪拌搬送部材と、現像ロールに保持される現像剤の量を規制する層厚規制部材などを配置して構成されている。この現像装置３６には、現像ロールと感光体ドラム３０との間に現像用のバイアス電圧が印加されるようになっている。また、現像ロールや攪拌搬送部材は、図示しない回転駆動装置からの動力が伝達されて予め定められた方向に回転する。なお、現像剤としては、例えば、非磁性トナーと磁性キャリアとを含む二成分現像剤を使用してもよい。また、現像装置３６に供給されるトナーは、図１に示すように、各色のトナーを含む現像剤を収容したトナーカートリッジ９０から供給される。
【００３３】
一次転写装置３８は、感光体ドラム３０の表面に中間転写ベルト４４を介し接触して回転すると共に、一次転写用電圧が供給される一次転写ロール３８Ａを備えた接触型の転写装置とされている。一次転写ロール３８Ａに一次転写用電圧が供給されることにより、感光体ドラム３０に形成された各色のトナー像が中間転写装置２６の中間転写ベルト４４に転写される。本実施の形態では、一次転写用電圧はトナーの帯電極性と逆の極性の直流電圧とされ、該直流電圧が一次転写ロール３８Ａに印加される。
【００３４】
また、清掃装置４０は、一次転写後における感光体ドラム３０の像保持面に残留して付着するトナー等の付着物を取り除いて清掃する。本実施の形態では、清掃装置４０には、
感光体ドラム３０に接触するブレード４２が設けられており、このブレード４２によって感光体ドラム３０の表面に付着した付着物が取り除かれるようになっている。
【００３５】
中間転写装置２６は、図１に示すように、各作像装置（２４Ｙ、２４Ｍ、２４Ｃ、２４Ｋ）２４の下方位置に配置されている。中間転写装置２６は、本実施の形態では、感光体ドラム３０と一次転写装置３８の間となる一次転写位置を通過しながら同図中の矢印Ａの方向に回転する中間転写ベルト４４と、中間転写ベルト４４を回転自在に支持する複数のベルト支持ローラ２６Ａ、２６Ｂと、バックアップロール７２と、を主に備えている。また、中間転写装置２６は、図示は省略するが、二次転写装置４６を通過した後に中間転写ベルト４４の外周面に残留して付着するトナーや、紙粉等の付着物を取り除いて清掃するベルト清掃装置を備えている。なお、バックアップロール７２は、二次転写装置４６におけるバックアップロールと、中間転写装置２６におけるベルト支持ローラとを兼用している。
【００３６】
中間転写ベルト４４としては、例えばポリイミド樹脂、ポリアミド樹脂等の合成樹脂にカーボンブラック等の抵抗調整剤などを分散させた材料で製作される無端状のベルト等が使用される。
【００３７】
二次転写装置４６は、図１に示すように、中間転写装置２６におけるバックアップロール７２に支持されている中間転写ベルト４４の外周面部分である二次転写位置において、
中間転写ベルト４４の外周面に連続紙Ｐを介し接触して回転する二次転写ロール７４を備えた接触型の転写装置とされている。また、二次転写ロール７４又は中間転写装置２６のバックアップロール７２には、トナーの帯電極性と逆極性又は同極性の直流電圧が二次転写用電圧として印加される。なお、本実施の形態に係る画像形成装置１０では、トナーの帯電極性は負極性とされ、トナーの帯電極性と同極性である負極性の直流電圧が、二次転写用電圧としてバックアップロール７２に印加されている。
【００３８】
また、中間転写ベルト４４の上部には、中間転写ベルト４４に転写されたトナー像の濃度を検出するための濃度センサ４８が設けられており、濃度センサ４８の濃度検出結果に基づいて、トナーの供給量が制御されるようになっている。
【００３９】
定着装置２８は、表面温度が予め定められた温度に保持されるよう加熱手段によって加熱されるロール状又はベルト状の加熱用回転体２８Ａと、この加熱用回転体２８Ａに予め定められた圧力で連続紙Ｐを介し接触して回転するロール状又はベルト状の加圧用回転体２８Ｂなどを配置して構成されている。定着装置２８では、二次転写装置４６によって連続紙Ｐに転写されたトナー像が加熱及び加圧されることにより、定着処理が行われる。
【００４０】
＜画像形成装置の基本的な動作＞
続いて、画像形成装置１０による基本的な画像形成動作について説明する。
【００４１】
画像形成装置１０は、画像形成動作（印刷動作）の要求を受け付けると、４つの作像装置（２４Ｙ、２４Ｍ、２４Ｃ、２４Ｋ）２４、中間転写装置２６、二次転写装置４６、及び定着装置２８等が始動する。
【００４２】
そして、各作像装置２４においては、まず各感光体ドラム３０が回転されて、各帯電装置３２によって各感光体ドラム３０の表面が予め定められた極性及び電位にそれぞれ帯電される。続いて、各露光装置３４によって、帯電後の各感光体ドラム３０の表面に対し、
画像情報に基づく光が照射されることにより、各感光体ドラム３０の表面に各色成分の静電潜像が形成される。
【００４３】
続いて、各現像装置３６によって、各感光体ドラム３０に形成された各色成分の静電潜像に、予め定められた極性に帯電された対応する色（Ｙ、Ｍ、Ｃ、Ｋ）のトナーがそれぞれ供給されて静電的に付着され、静電潜像が現像される。これにより、各感光体ドラム３０に形成された各色成分の静電潜像が、対応する色のトナーでそれぞれ現像された４色（Ｙ、Ｍ、Ｃ、Ｋ）のトナー像として顕像化される。
【００４４】
続いて、各作像装置２４の感光体ドラム３０上に形成された各色のトナー像が一次転写位置まで搬送されると、一次転写装置３８によって、各色のトナー像が回転する中間転写ベルト４４に対して順番に重ね合わされて一次転写される。
【００４５】
また、一次転写が終了した各作像装置２４では、清掃装置４０によって感光体ドラム３０の表面に残留するトナー等の付着物が除去されて感光体ドラム３０の表面が清掃される。これにより、各作像装置２４は次の作像動作がなされる状態となる。
【００４６】
続いて、中間転写装置２６では、中間転写ベルト４４に一次転写されたトナー像が保持されて二次転写位置まで搬送される。一方、給紙装置１２では、作像動作に先立って連続紙Ｐが給紙ロール２０から予め定められた搬送経路に沿って二次転写位置まで供給される。
【００４７】
二次転写位置においては、二次転写装置４６によって、中間転写ベルト４４上のトナー像が連続紙Ｐに一括して二次転写される。また、二次転写が終了した中間転写装置２６では、図示しないベルト清掃装置によって、二次転写後の中間転写ベルト４４の表面に残留したトナー等の付着物が除去される。
【００４８】
続いて、トナー像が二次転写された連続紙Ｐは、定着装置２８まで搬送され、定着装置２８によって定着処理が行われることにより連続紙Ｐにトナー像が定着される。そして、
最後に、定着が終了した後の連続紙Ｐは、画像形成部１４から排出されて、収容装置１６の収容ロール２２に巻き取られる。
【００４９】
以上の動作により、４色のトナー像の組み合わせによるフルカラー画像が形成された連続紙Ｐが得られる。
【００５０】
次に、図４を参照して、本実施の形態に係る画像形成装置１０の二次転写装置４６による連続紙Ｐへの転写動作について詳細に説明する。図４（ａ）は、連続紙Ｐが二次転写装置４６に通紙されていない状態（バックアップロール７２と二次転写ロール７４との間に連続紙Ｐが挟持されていない状態。以下、この状態を「非通紙状態」という場合がある）の二次転写装置４６を、図４（ｂ）は、連続紙Ｐが二次転写装置４６に通紙されている状態（バックアップロール７２と二次転写ロール７４との間に連続紙Ｐが挟持されている状態。以下、この状態を「通紙状態」という場合がある）の二次転写装置４６を、各々示している。
【００５１】
図４（ａ）に示すように、二次転写装置４６は、図示しないモータによりベルト支持ローラ２６Ａ、２６Ｂ（図１も参照）と共に中間転写ベルト４４を張架しながら搬送するバックアップロール７２、中間転写ベルト４４を挟んでバックアップロール７２と対向する位置に設けられた二次転写ロール７４、バックアップロール７２と二次転写ロール７４（以下、総称する場合には「転写ロール」という場合がある）の対（以下、「転写ロール対」という場合がある）に電圧を印加する可変電圧源として構成された二次転写電源６０、
及び二次転写電源６０により転写ロール対に電圧を印加した際に転写ロール対に流れる電流を検知する電流計６２を含んで構成される。
【００５２】
本実施の形態に係る画像形成装置１０では、二次転写電源６０が転写ロール対に印加する電圧が制御装置１８により調整可能とされ、二次転写電源６０の正極は基準電位であるグランド電位（ここでは、０Ｖ）に接続される。一方、二次転写電源６０の負極は電流計６２と直列に接続された上で、バックアップロール７２の金属シャフト６６に接続される。
【００５３】
バックアップロール７２としては、一例として直径１４ｍｍの金属シャフト６６の周囲にソリッドゴム６４を形成した直径１８ｍｍの回転可能なロールであり、ソリッドゴム６４には、耐油性、耐摩耗性、耐老化性に優れたニトリルゴム（ＮＢＲ）にイオン導電剤を混入して、抵抗値を１×１０６Ω以上１×１０７Ω以下に調整したもの等が用いられる。
【００５４】
一方、二次転写ロール７４としては、一例として直径１２ｍｍの金属シャフト７０の周囲に発泡ゴム６８を形成した直径１８ｍｍの回転可能なロールであり、発泡ゴム６８には、緩衝性に優れたウレタンにイオン導電剤を混入して、発泡ゴム６８の抵抗値を１×１０７Ω以上１×１０８Ω以下に調整したもの等が用いられる。なお、金属シャフト７０はグランド電位に接続されている。
【００５５】
制御装置１８は、転写ロール対によって形成される挟持部に連続紙Ｐが搬送されるタイミングで、二次転写電源６０からバックアップロール７２へ負極性の電圧（以下、この電圧を「転写バイアス」という場合がある）を印加する。
【００５６】
すると、転写ロール対が回転しながら連続紙Ｐ及び中間転写ベルト４４を押圧する押圧力に加え、転写ロール対の間に発生する二次転写ロール７４からバックアップロール７２へ向かう方向の電界により、負極性に帯電しているトナー像を中間転写ベルト４４から剥離させる力が発生し、中間転写ベルト４４に形成されているトナー像が連続紙Ｐに転写される。従って、トナー像の転写特性を一定に保つために、転写ロール対をなす転写ロール間の電界が一定に保たれる。
【００５７】
図５は、本実施の形態に係る画像形成装置１０の電気系の要部構成の一例を示すブロック図である。図５に示すように、画像形成装置１０は、先述した制御装置１８を備え、制御装置１８には、Ｉ／Ｏ（入出力インタフェース）１００Ｅを介して、先述した画像形成部１４、操作表示部１９、給紙ロールセンサ８４、二次転写電源６０、及び電流計６２と、通信Ｉ／Ｆ（インタフェース）１０２とが接続されている。
【００５８】
制御装置１８は、ＣＰＵ（Ｃｅｎｔｒａｌ  Ｐｒｏｃｅｓｓｉｎｇ  Ｕｎｉｔ）１００Ａ、ＲＯＭ（Ｒｅａｄ  Ｏｎｌｙ  Ｍｅｍｏｒｙ）１００Ｂ、ＲＡＭ（Ｒａｎｄｏｍ  Ａｃｃｅｓｓ  Ｍｅｍｏｒｙ）１００Ｃ、不揮発性メモリ１００Ｄ、及びＩ／Ｏ１００Ｅを含んで構成されており、これら各部はバス１００Ｆを介して各々接続されている。
【００５９】
ＣＰＵ１００Ａは、例えば、ＲＯＭ１００Ｂに記憶されたプログラムをＲＡＭ１００Ｃに取り込み、取り込んだプログラムを実行し、画像形成装置１０全体の動作を制御する。
ＲＯＭ１００Ｂには、後述する画像形成処理プログラム等の各種プログラムや各種パラメータ、各種テーブル情報等が予め記憶されている。ＲＡＭ１００Ｃは、各種プログラムの実行時のワークエリア等として用いられるメモリである。不揮発性メモリ１００Ｄは、装置の電源スイッチが切られても保持しなければならない各種情報を記憶するメモリである。Ｉ／Ｏ１００Ｅは、Ｉ／Ｏ１００Ｅに接続された画像形成部１４等と制御装置１８とが相互にデータの授受を行うためのインタフェースである。
【００６０】
画像形成部１４は、画像形成装置１０が前述した画像形成動作を実行するのに必要な装置、例えば、感光体ドラム３０、帯電装置３２、露光装置３４、現像装置３６、一次転写装置３８、中間転写ベルト４４、二次転写装置４６、定着装置２８等を含んで構成される。
【００６１】
操作表示部１９は、各種プログラムによって操作指示の受け付けを実現する表示ボタンや各種情報が表示されるタッチパネル式の図示しないディスプレイ、及び、テンキーやスタートボタンなどの図示しないハードウェアキー等を含んで構成されている。
【００６２】
給紙ロールセンサ８４は、後述の転写バイアスを補正する際に用いる給紙ロール２０の径（半径、又は直径）を検知するセンサである。給紙ロールセンサ８４としては、例えば、反射型の光学センサ等を用いてもよい。
【００６３】
通信Ｉ／Ｆ１０２は、パーソナル・コンピュータ等の外部装置（図示省略）に接続されており、外部装置から画像形成用の画像情報を制御装置１８に送信し、あるいは制御装置１８から画像処理した画像情報を外部装置に送信する等、制御装置１８と外部装置とが相互にデータの授受を行うためのインタフェースである。
【００６４】
二次転写装置４６に係る二次転写電源６０及び電流計６２は、上述したようにＩ／Ｏ１００Ｅを介して制御装置１８に接続されており、ＣＰＵ１００Ａは、例えば、二次転写電源６０の電圧値を設定し、電流計６２が検知した電流値を取得する。
【００６５】
ところで、先述したように、トナー像の二次転写装置４６による転写特性を一定に保つためには、転写ロール間の電界を一定に保つ必要がある。一方、転写ロール対の抵抗値は、温度、湿度等の環境変化、あるいは転写ロール対の経時変化等により変動する。そして、転写ロール間に電圧を印加することにより発生する電界は転写ロール間の抵抗値に応じて変動するため、二次転写装置４６の転写バイアスは、転写ロール間の抵抗値に応じて設定される。この際、画像形成対象とする記録媒体が、一定のサイズに裁断された記録用紙、いわゆるカット紙の場合には、画像形成動作中のカット紙が非通紙のタイミングで転写ロール間の抵抗値を測定し、測定した抵抗値に基づいて転写バイアスの制御を行っていた。
【００６６】
ところが、本実施の形態のように、記録媒体が連続紙Ｐの場合、画像形成動作中は連続紙Ｐが常に転写ロール間に挟持された状態になるため、測定した抵抗値は連続紙Ｐの抵抗値を含んだ抵抗値となる。連続紙Ｐの抵抗値を含んだ転写ロール間の抵抗値を転写バイアスの制御に用いた場合、連続紙Ｐの抵抗値が環境の変化等により変動するため、転写バイアスを精確に制御できずＹ、Ｍ、Ｃ、Ｋの各色のトナー像の転写特性が変動して色安定性の維持が難しくなる。
【００６７】
そこで、本実施の形態に係る画像形成装置１０では、連続紙Ｐのプレフィード動作中に連続紙Ｐの初期抵抗値を求めて転写バイアスを設定し、画像形成動作中においては連続紙Ｐを含んだ転写ロール間の抵抗値を測定して算出した抵抗値の変動分に基づいて転写バイアスを制御している。なお、ここでいうプレフィード動作とは、連続紙Ｐが給紙ロール２０の状態で給紙装置１２内に配置された状態から、搬送ロール対８０により連続紙Ｐを供給し、二次転写装置４６の転写ロール間を通過させるまでの動作をいう。したがって、プレフィード動作中の未だ転写ロール間まで連続紙Ｐが至っていない状態においては、非通紙状態の転写ロール間の抵抗値が測定される。
【００６８】
次に、図６を参照して、画像形成処理を実行する際の本実施の形態に係る画像形成装置１０の作用について説明する。なお、図６は、この際に本実施の形態に係る画像形成装置１０のＣＰＵ１００Ａにより実行される画像形成処理プログラムの処理の流れを示すフローチャートである。
【００６９】
図６に示す処理は、例えば、外部装置等から制御装置１８が画像形成すべき画像情報を受け取った後、ユーザが、操作表示部１９等を介し画像形成の部数等を指定して画像形成処理の開始を指示することにより、ＣＰＵ１００ＡがＲＯＭ１００Ｂ等の記憶手段から上記画像形成処理プログラムを読み込み、実行することによりなされる。また、図６に示す処理は、給紙ロール２０が給紙装置１２に配置された状態、すなわちプレフィード動作が未だ行われていない状態において実行される処理である。
【００７０】
このように、本実施の形態では、本画像形成処理プログラムをＲＯＭ１００Ｂ等に予め記憶させておく形態を例示して説明するが、これに限られず、本画像形成処理プログラムがコンピュータにより読み取り可能な可搬型の記憶媒体に記憶された状態で提供される形態、有線又は無線による通信手段を介して配信される形態等を適用してもよい。
【００７１】
また、本実施の形態では、本画像形成処理を、プログラムを実行することによるコンピュータを利用したソフトウエア構成により実現しているが、これに限らない。例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を採用したハードウエア構成や、ハードウエア構成とソフトウエア構成の組み合わせによって実現してもよい。
【００７２】
図６に示すように、まずステップＳ１００で、この時点の転写ロール間の抵抗値を測定することにより、非通紙状態における転写ロール間の抵抗値（以下、「非通紙転写抵抗値」という場合がある）Ｒｏｓを取得する。
【００７３】
非通紙転写抵抗値Ｒｏｓの取得は、二次転写装置４６を図４（ａ）に示す状態とし、二次転写電源６０の電圧値を予め定められた電圧値Ｖ１に設定し、転写ロール間に電圧値Ｖ１が印加されたきに電流計６２により得られる電流値Ｉ１を測定して、以下に示す式（１）により算出することにより行われる。
Ｒｏｓ＝Ｖ１／Ｉ１  ・・・  式（１）
【００７４】
次のステップＳ１０２では、プレフィード動作を開始するように給紙装置１２及び画像形成部１４の各部を制御し、次のステップＳ１０４で、連続紙Ｐがセットされる（通紙状態となる）まで待機する。
なお、本実施の形態では、上記ステップＳ１００からステップＳ１０４で連続紙のセットが完了するまでの処理を、「プレフィードモード」と称する場合がある。
【００７５】
次のステップＳ１０６では、この時点の転写ロール間の抵抗値を測定することにより、
通紙状態における転写ロール間の初期抵抗値（以下、「初期通紙転写抵抗値」という場合がある）Ｒｔｓを取得する。
【００７６】
初期通紙転写抵抗値Ｒｔｓの取得は、二次転写装置４６を図４（ｂ）に示す状態とし、
二次転写電源６０の電圧値を予め定められた電圧値Ｖ２に設定し、転写ロール間に電圧値Ｖ２が印加されたきに電流計６２により得られる電流値Ｉ２を測定して、以下に示す式（２）により算出することにより行われる。
Ｒｔｓ＝Ｖ２／Ｉ２  ・・・  式（２）
【００７７】
なお、初期通紙転写抵抗値Ｒｔｓは、以下の式（３）に示すように、非通紙転写抵抗値Ｒｏｓに連続紙Ｐの初期抵抗値（以下、「初期連続紙抵抗値」という場合がある）Ｒｐｓを加えた抵抗値である。
Ｒｔｓ＝Ｒｏｓ＋Ｒｐｓ  ・・・  式（３）
【００７８】
そこで、次のステップＳ１０８では、式（２）から式（１）を減算して、すなわち、以下に示す式（４）から、初期連続紙抵抗値Ｒｐｓを算出する。
Ｒｐｓ＝Ｒｔｓ−Ｒｏｓ  ・・・  式（４）
【００７９】
次のステップＳ１１０では、ステップＳ１０８で算出した初期連続紙抵抗値Ｒｐｓを用いて、二次転写装置４６における転写バイアスの初期値である初期転写バイアスＶｔｓを設定する。なお、本実施の形態では、上記初期転写バイアスＶｔｓの設定を、例えば、初期連続紙抵抗値Ｒｐｓと初期転写バイアスＶｔｓとの関係を示す式、あるいはテーブルをＲＯＭ１００Ｂ等の記憶手段に記憶しておき、必要に応じ読み出して行う。
【００８０】
図７に、本実施の形態に係る初期連続紙抵抗値Ｒｐｓ（同図では、「連続紙抵抗値」と表記）と初期転写バイアスＶｔｓ（同図では、「転写バイアス」と表記）との関係をテーブルで示す場合の当該テーブル（以下、「転写バイアステーブル」という場合がある）の一例を模式的に示す。
【００８１】
連続紙Ｐの抵抗値は、連続紙Ｐが配置された環境条件、すなわち温度、湿度により、また、紙種、すなわち連続紙Ｐの材質、厚さ、幅等により変化する。さらに、転写ロール対の抵抗値も環境条件に応じて変化する。
【００８２】
そこで、本実施の形態に係る転写バイアステーブルでは、図７に示すように、連続紙抵抗値と転写バイアスとの関係を、環境、紙種に応じて予め定めている。
図７は、環境として、常温・常湿、低温・低湿、高温・高湿の３条件を想定し、紙質として、紙質Ａ及び紙質Ｂの２種を想定した場合を示している。
【００８３】
図７において、例えば、常温・常湿において、紙質Ａの連続紙Ｐを用いる場合、連続紙抵抗値Ｒ１１、Ｒ１２、・・・、Ｒ１ｋの各々について、転写バイアスＶ１１、Ｖ１２、
・・・、Ｖ１ｋが各々対応されており、同じ環境条件で紙質Ｂを用いる場合、連続紙抵抗値Ｒ２ｌ、Ｒ２２、・・・、Ｒ２ｌの各々について、転写バイアスＶ２１、Ｖ２１、・・・、Ｖ２ｌが各々対応されている。
【００８４】
また、低温・低湿において、紙質Ａの連続紙Ｐを用いる場合、連続紙抵抗値Ｒ３１、Ｒ３２、・・・、Ｒ３ｍの各々について、転写バイアスＶ３１、Ｖ３２、・・・、Ｖ３ｍが各々対応されており、同じ環境条件で紙質Ｂを用いる場合、連続紙抵抗値Ｒ４ｌ、Ｒ４２、・・・、Ｒ４ｎの各々について、転写バイアスＶ４１、Ｖ４２、・・・、Ｖ４ｎが各々対応されている。
【００８５】
さらに、高温・高湿において、紙質Ａの連続紙Ｐを用いる場合、連続紙抵抗値Ｒ５１、
Ｒ５２、・・・、Ｒ５ｏの各々について、転写バイアスＶ５１、Ｖ５２、・・・、Ｖ５ｏが各々対応されており、同じ環境条件で紙質Ｂを用いる場合、連続紙抵抗値Ｒ６ｌ、Ｒ６２、・・・、Ｒ６ｐの各々について、転写バイアスＶ６１、Ｖ６２、・・・、Ｖ６ｐが各々対応されている。
【００８６】
ここで、常温・常湿、低温・低湿、高温・高湿の各条件は、例えば、以下のような条件である。
常温・常湿：  温度１５℃〜２５℃、湿度３０％〜７０％
低温・低湿：  温度１５℃未満、湿度３０％未満
高温・高湿：  温度２５℃より大、湿度７０％より大
【００８７】
なお、図７に示す転写バイアステーブルは、実機を用いた実験や、実機の設計仕様等に基づくコンピュータシミュレーション等により予め定め、ＲＯＭ１００Ｂ等の記憶手段に記憶しておいてもよい。また、上記の環境条件、紙種の数は一例であり、画像形成装置１０の具体的な設計等において、特に制約されることなく設定してよい。
【００８８】
次のステップＳ１１２では、画像形成部１４に対して、連続紙Ｐへの画像形成を開始するように制御する。
【００８９】
次のステップＳ１１４では、通紙転写抵抗値Ｒｔの取得タイミングが到来したか否かを判定する。ステップＳ１１４で否定判定となった場合には後述するステップＳ１３０に移行する一方、肯定判定となった場合には、ステップＳ１１６に移行して、通紙転写抵抗値Ｒｔを取得する。通紙転写抵抗値Ｒｔの取得は、上記ステップＳ１０６における初期通紙転写抵抗値Ｒｔｓと同様の方法で行えばよい。
【００９０】
なお、本実施の形態では、上記取得タイミングとして、予め定められた時間間隔（例えば、１秒）ごとのタイミングを適用している。むろんこの時間間隔は、具体的な設計等に応じて制約されることなく設定してよい。
【００９１】
次のステップＳ１１８では、それまでに取得された通紙転写抵抗値Ｒｔと今回取得した通紙転写抵抗値Ｒｔとにより、通紙転写抵抗値Ｒｔの移動平均値である転写抵抗移動平均値＜Ｒｔ＞を算出する。すなわち、移動平均のサンプル数をＭとし、今回の取得が（Ｍ＋ｋ）回目（例えば、連続紙Ｐに形成する１単位の画像について画像形成を行った回数が（Ｍ＋ｋ）回目）であり、ｉ回目に取得した通紙転写抵抗値をＲｔ（ｉ）で表わした場合、
以下に示す式（５−１）により転写抵抗移動平均値＜Ｒｔ＞を算出する。
＜Ｒｔ＞＝（Ｒｔ（Ｍ＋ｋ）＋Ｒｔ（Ｍ＋ｋ−１）＋  ・・・  ＋Ｒｔ（ｋ＋１））／Ｍ  ・・・  式（５−１）
【００９２】
次に（Ｍ＋ｋ＋１）回目の取得を行った場合には、最も古いＲｔ（ｋ＋１）を削除して、転写抵抗移動平均値＜Ｒｔ＞は、以下に示す式（５−２）となる。
＜Ｒｔ＞＝（Ｒｔ（Ｍ＋ｋ＋１）＋Ｒｔ（Ｍ＋ｋ）＋  ・・・  ＋Ｒｔ（ｋ＋２））／Ｍ  ・・・  式（５−２）
以下同様にして転写抵抗移動平均値＜Ｒｔ＞が算出される。
なお、本画像形成処理プログラムの実行が開始されて最初にステップＳ１１８の処理が実行される際の転写抵抗移動平均値＜Ｒｔ＞としては、通紙転写抵抗値Ｒｔを適用するようにする。
【００９３】
次のステップＳ１２０では、転写バイアスの補正のタイミングが到来したか否かを判定する。本実施の形態では、上記補正のタイミングとして、予め定められた時間間隔（例えば、１００秒）ごとのタイミングを適用している。つまり、本実施の形態では、通紙転写抵抗値Ｒｔの取得の１００回に１回の割合で転写バイアスの補正を行う。
【００９４】
ステップＳ１２０で否定判定となった場合には、後述するステップＳ１３０に移行する一方、肯定判定となった場合には、ステップＳ１２２に移行し、以下に示す式（６）により転写抵抗移動平均値＜Ｒｔ＞と非通紙転写抵抗値Ｒｏｓとの差分から、連続紙の抵抗値である連続紙抵抗値Ｒｐを算出する。
Ｒｐ＝＜Ｒｔ＞−Ｒｏｓ  ・・・  式（６）
【００９５】
次のステップＳ１２４では、以下に示す式（７）により、連続紙Ｐの抵抗値の変動量である連続紙抵抗値変動量ΔＲｐを求める。ここで、Ｒｐｓは、式（４）で算出した初期連続紙抵抗値Ｒｐｓである。
ΔＲｐ＝Ｒｐ−Ｒｐｓ  ・・・  式（７）
【００９６】
なお、連続紙抵抗値変動量ΔＲｐは、以下の式（８）に示すように、転写抵抗移動平均値＜Ｒｔ＞と、式（２）で求めた初期通紙転写抵抗値Ｒｔｓとの差分から直接求めてもよい。この場合、ステップＳ１２２は省略してもよい。
ΔＲｐ＝＜Ｒｔ＞−Ｒｔｓ  ・・・  式（８）
【００９７】
また、本実施の形態では、画像形成動作時の通紙転写抵抗値として、転写抵抗移動平均値＜Ｒｔ＞を用いる場合を例示して説明したが、これに限定されず、直近に取得した通紙転写抵抗値Ｒｔを用いてもよい。
【００９８】
次のステップＳ１２６では、ステップＳ１２４で算出した連続紙抵抗値変動量ΔＲｐに基づいて、初期転写バイアスＶｔｓを補正し、補正後の転写バイアスである補正転写バイアスＶｔを算出する。当該補正は、連続紙抵抗値変動量ΔＲｐと補正転写バイアスＶｔとの関係を定めた式、あるいはテーブルを用いて行われる。本実施の形態では、一例として、以下に示す式（９）を用いて補正する。
Ｖｔ（ΔＲｐ）＝Ｖｔｓ＋ｆ（ΔＲｐ）  ・・・  式（９）
【００９９】
式（９）は、実機を用いた実験や、実機の設計仕様等に基づくコンピュータシミュレーション等により予め定め、ＲＯＭ１００Ｂ等の記憶手段に記憶しておいてもよい。また、
算出された補正転写バイアスＶｔは、不揮発性メモリ１００Ｄ等の記憶手段に記憶してもよい。
また、式（９）に示す式は、図７に示す転写バイアステーブルと同様に、温度、湿度、
あるいは、紙種に対応させて導出した一連の補正式からなる補正式テーブルとして適用してもよい。この場合、図７における環境と紙種で場合分けされる６個の補正式が、連続紙抵抗値、転写バイアスの数値の代わりに用いられる。
【０１００】
ここで、ｆ(ΔＲｐ）は、連続紙抵抗値変動量ΔＲｐから補正転写バイアスＶｔの補正量を算出する式であり、本実施の形態では、一例として、以下に示す式（１０）を用いている。
ｆ（ΔＲｐ）＝Ｃ１・ΔＲｐ＋Ｃ２  ・・・  式（１０）
ここで、Ｃ１及びＣ２は、実機を用いた実験や、実機の設計仕様等に基づくコンピュータシミュレーション等により予め定められた係数である。
【０１０１】
次のステップ１２８では、ステップＳ１２６で算出した補正転写バイアスＶｔを二次転写電源６０に設定する。この設定により、二次転写装置４６の転写ロール間に転写バイアスが印加される。
【０１０２】
次のステップＳ１３０では、画像形成が終了したか否かを判定し、当該判定が否定判定となった場合にはステップＳ１１２に戻って画像形成を継続し、肯定判定となった場合には、ステップＳ１３２に移行して画像形成部１４に対して画像形成を停止するように制御した後、本画像形成処理プログラムを終了する。
【０１０３】
なお、画像形成の終了は、例えば、ユーザによって操作表示部１９等を介し指定された部数の画像形成がなされた場合としてもよい。
【０１０４】
以上の説明で明らかなように、本実施の形態に係る画像形成装置によれば、連続紙への転写条件が変化しても、転写時の色安定性の低下が抑制される。
【０１０５】
なお、図６において、１度プレフィードモードを実行した後、使用後の給紙ロール２０をそのまま用いて次のジョブ（１単位の画像形成処理）を実行する場合には、連続紙Ｐが転写ロール対に挟持された状態にある。従って、次のプレフィードモードが実行されるまでの間は、ステップＳ１１２の画像形成を開始する処理から実行すればよい。
【０１０６】
［第２の実施の形態］
本実施の形態は、第１の実施の形態において、転写バイアスを補正する場合の条件を変更したものである。第１の実施の形態においては、予め定められたタイミングごとに転写バイアスの補正を行ったが、本実施の形態では、連続紙Ｐの抵抗値の変動量である連続紙抵抗値変動量ΔＲｐの値が、予め定められた閾値を越えた場合に転写バイアスの補正を行う。図８に、本実施の形態に係る画像形成処理プログラムの処理の流れを示すフローチャートを示す。
【０１０７】
図８に示す処理は、例えば、外部装置等から制御装置１８が画像形成すべき画像情報を受け取った後、ユーザが、操作表示部１９等を介し画像形成の部数等を指定して画像形成の開始を指示することにより、ＣＰＵ１００ＡがＲＯＭ１００Ｂ等の記憶手段から上記画像形成処理プログラムを読み込み、実行することによりなされる。また、図８に示す処理は、給紙ロール２０が給紙装置１２に配置された状態、すなわちプレフィード動作が未だ行われていない状態において実行される処理である。
【０１０８】
図８のステップＳ２００ないしＳ２１２は、図６のステップＳ１００ないしステップＳ１１２と同様なので説明を省略する。
【０１０９】
次のステップＳ２１４では、通紙転写抵抗値Ｒｔの取得タイミングが到来したか否かを判定する。本実施の形態でも、該取得タイミングの一例として、第１の実施の形態と同様、予め定められた時間間隔（例えば、１秒）ごとのタイミングを適用している。
【０１１０】
次のステップ２１６では、図６のステップＳ１０６に示す初期通紙転写抵抗値Ｒｔｓと同様の方法により、通紙転写抵抗値Ｒｔを取得する。
【０１１１】
次のステップＳ２１８では、図６のステップＳ１１８と同様の方法により、転写抵抗移動平均値＜Ｒｔ＞を算出する。
次のステップＳ２２０では、図６のステップＳ１２２と同様の方法により、連続紙抵抗値Ｒｐを算出する。
次のステップＳ２２２では、図６のステップＳ１２４と同様の方法により、連続紙抵抗値変動量ΔＲｐを算出する。
【０１１２】
次のステップＳ２２４では、ステップＳ２２２で算出した連続紙抵抗値変動量ΔＲｐが、以下の式（１１）に示すように、予め定められた変動量閾値ΔＲｐ＊を越えているか否かを判定する。
ΔＲｐ＞ΔＲｐ＊  ・・・  式（１１）
【０１１３】
ステップＳ２２４で否定判定となった場合にはステップＳ２３０に移行する一方、肯定判定となった場合にはステップＳ２２６に移行し、図６のステップＳ１２６と同様の方法により、補正転写バイアスＶｔを算出する。
【０１１４】
次のステップＳ２２８では、ステップＳ２２６で算出した補正転写バイアスＶｔを二次転写電源６０に設定する。この設定により、二次転写装置４６の転写ロール間に転写バイアスが印加される。
【０１１５】
次のステップＳ２３０では、画像形成が終了したか否かについて判定し、当該判定が否定判定となった場合にはステップＳ２１２に戻って画像形成を継続し、肯定判定となった場合には、ステップＳ２３２に移行して画像形成部１４に対して画像形成を停止するように制御した後、本画像形成処理プログラムを終了する。
【０１１６】
以上の説明で明らかなように、本実施の形態に係る画像形成装置によっても、連続紙への転写条件が変化した場合でも、転写時の色安定性の低下が抑制される。
【０１１７】
［第３の実施の形態］
本実施の形態は、画像形成装置１０において画像形成が進行するに伴って変化する給紙ロール２０の径により、さらに転写バイアスの補正を行う形態である。本実施の形態では、図１の給紙ロール２０内の両矢印ｒで示されたように、給紙ロール２０の径として半径を用いている。
【０１１８】
本実施の形態に係る画像形成装置１０では、給紙ロール２０は給紙装置１２内に収容されているが、外気に触れた状態となっている。一方、給紙ロール２０は、画像形成装置１０による画像形成が進行するにつれて、半径ｒが小さくなり、給紙ロール２０の外気に接した部分の表面積も小さくなる。すると、給紙ロール２０に吸収される水分の量も変化する（一般的には少なくなる）ので、連続紙Ｐの抵抗値が変化する（一般的には大きくなる）。つまり、給紙ロール２０の半径ｒの変化に伴って、連続紙Ｐの抵抗値が変化する。
【０１１９】
本実施の形態に係る画像形成装置１０では、この給紙ロール２０の半径ｒの変化に伴う連続紙Ｐの抵抗値の変化も考慮して、転写バイアスの補正を行う。
【０１２０】
図９に、本実施の形態に係る画像形成処理プログラムの処理の流れを示すフローチャートを示す。図９に示すフローチャートによる画像形成処理は、本実施の形態に係る画像形成処理を図６に示すフローチャートによる画像形成処理に適用した場合を例示したものであるが、むろん本実施の形態に係る画像形成処理を図８に示すフローチャートによる画像形成処理に適用してもよい。
【０１２１】
図９に示すステップＳ３００ないしステップＳ３２４は、図６に示すステップＳ１００ないしステップＳ１２４と同様なので、説明を省略する。
【０１２２】
次のステップＳ３２６では、給紙ロールセンサ８４から給紙ロール２０の半径を取り込む。
次のステップＳ３２８では、補正転写バイアスＶｔを算出する。
【０１２３】
本実施の形態において、補正転写バイアスＶｔを算出する場合には、式（９）に代えて以下に示す式（１２）を用いる。
Ｖｔ（ΔＲｐ，ｒ）＝Ｖｔｓ＋ｆ（ΔＲｐ）＋ｇ（ｒ）  ・・・  式（１２）
【０１２４】
式（１２）は、実験あるいはシミュレーション等により予め定め、ＲＯＭ１００Ｂ等の記憶手段に記憶しておいてもよい。また、算出された補正転写バイアスＶｔは、不揮発性メモリ１００Ｄ等の記憶手段に記憶してもよい。
また、式（１２）に示す式は、図７に示す転写バイアステーブルと同様に、温度、湿度、あるいは、紙種に対応させて導出した補正式テーブルとして準備してもよい。この場合、図７における環境と紙種で場合分けされる６個の補正式が、連続紙抵抗値、転写バイアスの数値の代わりに準備される。
【０１２５】
本実施の形態では、ｆ（ΔＲｐ）は式（１０）で示される関数である。
また、ｇ（ｒ）は、給紙ロール２０の半径ｒから転写バイアスの補正量を算出する式であり、本実施の形態では、一例として、以下に示す式（１３）を用いる。
ｇ（ｒ）＝Ｃ３・ｒ＋Ｃ４  ・・・  式（１３）
ここで、Ｃ３及びＣ４は、実験あるいはシミュレーション等により予め定められた係数である。
【０１２６】
次のステップＳ３３０では、ステップＳ３２８で算出した補正転写バイアスＶｔを二次転写電源６０に設定する。この設定により、二次転写装置４６の転写ロール間に転写バイアスが印加される。
【０１２７】
次のステップＳ３３２では、画像形成が終了したか否かを判定し、当該判定が否定判定となった場合にはステップＳ３１２に戻って画像形成を継続し、肯定判定となった場合には、ステップＳ３３４に移行して画像形成部１４に対して画像形成を停止するように制御した後、本画像形成処理プログラムを終了する。
【０１２８】
以上の説明で明らかなように、本実施の形態に係る画像形成装置によっても、連続紙への転写条件が変化した場合でも、転写時の色安定性の低下が抑制される。
本実施の形態に係る画像形成装置では、連続紙の抵抗値の変動量に加えて、さらに給紙ロールの径を用いて転写バイアスの補正を行うので、さらに効果的に転写時の色安定性の低下が抑制される。
【０１２９】
なお、上記実施の形態では、連続紙抵抗値変動量ΔＲｐによる転写バイアスの補正量ｆ（ΔＲｐ）に、給紙ロール２０の半径ｒによる転写バイアスの補正量ｇ（ｒ）を加えて全体の補正量を算出する形態を例示して説明したが、これに限定されない。たとえば、補正量ｆ（ΔＲｐ）に補正量ｇ（ｒ）を乗じてｆ（ΔＲｐ）・ｇ（ｒ）とし、係数ｇ（ｒ）で補正量ｆ（ΔＲｐ）を修正し、全体の補正量を算出する形態としてもよい。また、補正式に代えて、給紙ロール２０の半径ｒと転写バイアスの補正量との関係が予め定められたテーブルを用いて補正量を算出してもよい。
【０１３０】
なお、上記各実施の形態では、連続紙Ｐの抵抗値の変動量に基づいて転写バイアスの補正値を算出する形態を例示して説明したが、これに限られない。連続紙Ｐの抵抗値の変動量に代え、例えば、連続紙Ｐの抵抗値に基づいて転写バイアスを算出してもよい。この場合には、例えば、図７と同様の形式で予め定められた連続紙Ｐの抵抗値と転写バイアスとの関係を示すテーブルを準備しておき、必要に応じ参照すればよい。
【０１３１】
また、例えば、画像形成動作時において、連続紙Ｐの抵抗値を算出することなく、通紙状態の抵抗値（通紙転写抵抗値Ｒｔ）の変化に応じて転写バイアスを算出してもよい。この場合には、通紙転写抵抗値Ｒｔと転写バイアスとの関係を定めた演算式、あるいはテーブルを予め準備しておき、必要に応じ参照すればよい。
【０１３２】
また、上記各実施の形態では一次転写装置及び二次転写装置を用いる方式に適用した形態を例示して説明したが、これに限られず、一次転写装置のみを用いる方式、すなわち直接転写方式を用いる形態に適用してもよい。
【符号の説明】
【０１３３】
５      ラベル紙
１０    画像形成装置
１２    給紙装置
１４    画像形成部
１６    収容装置
１８    制御装置
１９    操作表示部
２０    給紙ロール
２２    収容ロール
２４    作像装置
２６    中間転写装置
２６Ａ、２６Ｂ  ベルト支持ローラ
２８    定着装置
２８Ａ  加熱用回転体
２８Ｂ  加圧用回転体
３０    感光体ドラム
３２    帯電装置
３２Ａ  帯電ロール
３４    露光装置
３６    現像装置
３８    一次転写装置
３８Ａ  一次転写ロール
４０    清掃装置
４２    ブレード
４４    中間転写ベルト
４６    二次転写装置
４８    濃度センサ
５１    剥離紙
５２    粘着層
５３    表面基材
６０    二次転写電源
６２    電流計
６４    ソリッドゴム
６６    金属シャフト
６８    発泡ゴム
７０    金属シャフト
７２    バックアップロール
７４    二次転写ロール
８０    搬送ロール対
８２    張力付与ロール
８４    給紙ロールセンサ
９０    トナーカートリッジ
１００Ａ  ＣＰＵ
１００Ｂ  ＲＯＭ
１００Ｃ  ＲＡＭ
１００Ｄ  不揮発性メモリ
１００Ｅ  Ｉ／Ｏ
１００Ｆ  バス
１０２  通信Ｉ／Ｆ
Ｐ      連続紙
Ｒｏｓ  非通紙転写抵抗値
Ｒｔｓ  初期通紙転写抵抗値
Ｒｐｓ  初期連続紙抵抗値
Ｒｔ    通紙転写抵抗値
＜Ｒｔ＞  転写抵抗移動平均値
Ｒｐ    連続紙抵抗値
ΔＲｐ  連続紙抵抗値変動量
Ｖｔｓ  初期転写バイアス
Ｖｔ    補正転写バイアス
【図１】
2015055672.tif 000003
【図２】
2015055672.tif 000004
【図３】
2015055672.tif 000005
【図４】
2015055672.tif 000006
【図５】
2015055672.tif 000007
【図６】
2015055672.tif 000008
【図７】
2015055672.tif 000009
【図８】
2015055672.tif 000010
【図９】
2015055672.tif 000011